(57)【要約】【課題】ディスクトレイの位置に関係なく外部からの静電気による電子部品の誤作動や破壊を防止する。【解決手段】ディスクトレイ１４の前面に、回路基板３１が取り付けるとともに、回路基板３１を覆うように、金属板３２を取り付ける。回路基板３１は、係止部３１ｂが形成され、駆動制御基板に接続されている。係止部３１ｂに、回路基板３１の接地線に接続された導体３５を設ける。金属板３２は、係止部３２ｂ、フレーム接触部３２ｇが形成されている。係止部３２ｂは、導体３５に接触している。ディスクトレイ１４が露出位置及び格納位置のいずれに位置するときにも、フロントパネル６の内部に侵入した静電気は、金属板３２、導体３５を介して、駆動制御基板のグランド部に流れる。【選択図】図７
2008152844.tif 000002
【特許請求の範囲】
【請求項１】
導電性の素材から構成されるケースと、
光ディスクを回転させるスピンドルモータ及び光ピックアップが設けられ、前記ケース内部に格納される格納位置と前記ケース外部に露出される露出位置との間で移動可能なディスクトレイと、
前記ディスクトレイの前面に設けられ、前記ディスクトレイ用のイジェクトスイッチが設けられた回路基板と、
前記ディスクトレイの前面であって前記回路基板の前面側に取り付けられ、前記イジェクトスイッチを押圧するイジェクトボタン及び前記イジェクトボタン用の開口が設けられた前面パネルと、
前記回路基板に接続され、前記スピンドルモータの駆動を制御する制御基板と、を備えた光ディスク装置において、
前記回路基板に設けられた導体と、
前記回路基板と前記前面パネルとの間に設けられ、前記導体に接触する導体接触部を有し、導電性の素材から構成される導電板と、を備えたことを特徴とする光ディスク装置。
【請求項２】
前記導体接触部を、前記導体に接触する接触位置と、前記導体との接触を解除する接触解除位置との間で変位可能に設け、
前記ディスクトレイが前記露出位置に位置するときに、前記導体接触部を前記接触位置に変位させ、前記ディスクトレイが前記格納位置に位置するときに、前記導体接触部を前記接触解除位置に変位させる変位手段と、
前記導電板に形成され、前記ディスクトレイが前記格納位置に位置するときに、前記ケースに接触するケース接触部と、を備えたことを特徴とする請求項１記載の光ディスク装置。
【請求項３】
前記ケース接触部を、前記ディスクトレイが前記露出位置に位置するときに、前記導体接触部を前記接触位置に変位させる位置と、前記ディスクトレイが前記格納位置に位置するときに、前記ケースに接触して前記導体接触部を前記接触解除位置に変位させる位置との間で変位可能に形成し、
前記変位手段を、前記ケース接触部及び前記ケースから構成したことを特徴とする請求項２記載の光ディスク装置。
【請求項４】
前記ディスクトレイが前記露出位置に位置するときに、前記導体接触部を前記接触位置に変位させる位置と、前記ディスクトレイが前記格納位置に位置するときに、前記ケースに接触して前記導体接触部を前記接触解除位置に変位させる位置との間で前記ディスクトレイにスライド可能に設けられたスライド板を備え、
前記変位手段を、前記スライド板及び前記ケースから構成したことを特徴とする請求項２記載の光ディスク装置。
【発明の詳細な説明】
【技術分野】
【０００１】
本発明は、光ピックアップにより光ディスクに記録された情報の再生や記録を行う光ディスク装置に関し、詳しくは、静電気対策に関するものである。
【背景技術】
【０００２】
ＣＤ−Ｒ、ＤＶＤなどの光ディスクを記憶媒体として用いる光ディスク装置は、デスクトップ型のパソコン（パーソナル  コンピュータ）や、ノートパソコンと称される携帯型のパソコンに内蔵されている。光ディスク装置は、樹脂製のディスクトレイ上に装填された光ディスクを高速で回転させるスピンドルモータと、光ディスクの半径方向に移動しながら光ディスクにレーザ光を照射して情報を記録し、あるいは光ディスクから反射されたレーザ光を受光して情報の読み出しを行う光ピックアップとを備えており、一般的にスリムドライブと称される光ディスク装置では、スピンドルモータ及び光ピックアップは、ディスクトレイに組み込まれている。
【０００３】
ディスクトレイは、光ディスクの着脱時にケース外部に露出される露出位置とケース内部に格納される格納位置との間でスライド自在に設けられている。ディスクトレイの前面には、ディスクトレイ用のイジェクトスイッチ及びＬＥＤが取り付けられたＦＰＣ（Ｆｌｅｘｉｂｌｅ  Ｐｒｉｎｔｅｄ  Ｃｉｒｃｕｉｔ）基板が取り付けられている。ディスクトレイの前面側には、押圧可能なイジェクトボタン及びイジェクトボタン用のボタン開口が設けられたフロントベゼルが取り付けられている。
【０００４】
フロントベゼルを押圧すると、ディスクトレイはケース内部に完全に格納された状態でロックされる。ディスクトレイを引き出すときには、フロントベゼルに設けられたイジェクトボタンを押す。イジェクトボタンを押すと、ディスクトレイのロックが解除され、ディスクトレイがバネの付勢により１０ｍｍ程度突出する。そして、ユーザはフロントベゼルをつまんでディスクトレイを引き出す。
【０００５】
ディスクトレイをケース内部に格納したときにも、フロントベゼルの前面は、ケースから露出している。このため、イジェクトボタンとボタン開口との隙間から、光ディスク装置内部に静電気が入り込み、この静電気により、光ディスク装置内部に組み込まれた電子部品（光ピックアップ、スピンドルモータ、駆動回路等）が誤作動したり壊れてしまうという問題があった。そこで、この問題を解決するための技術が提案されている（特許文献１及び２参照）。
【特許文献１】特開平８−１７１７８７号公報
【特許文献１】特開２００６−１４７０９０号公報
【発明の開示】
【発明が解決しようとする課題】
【０００６】
しかしながら、特許文献１及び２では、ディスクトレイがケース内部に格納されているときの静電気対策は行っているが、ディスクトレイがケース外部に露出しているときの静電気対策は行っていない。このため、ディスクトレイがケース外部に露出しているときに、静電気によって光ディスク装置内部に組み込まれた電子部品（光ピックアップ、スピンドルモータ、駆動回路等）が誤作動したり壊れてしまうという問題があった。
【０００７】
本発明は、上記課題を解決するためになされたものであり、ディスクトレイの位置に関係なく外部からの静電気による電子部品の破壊を防止することができる光ディスク装置を提供することを目的とする。
【課題を解決するための手段】
【０００８】
上記目的を達成するために、本発明の光ディスク装置は、導電性の素材から構成されるケースと；光ディスクを回転させるスピンドルモータ及び光ピックアップが設けられ、前記ケース内部に格納される格納位置と前記ケース外部に露出される露出位置との間で移動可能なディスクトレイと；前記ディスクトレイの前面に設けられ、前記ディスクトレイ用のイジェクトスイッチが設けられた回路基板と；前記ディスクトレイの前面であって前記回路基板の前面側に取り付けられ、前記イジェクトスイッチを押圧するイジェクトボタン及び前記イジェクトボタン用の開口が設けられた前面パネルと；前記回路基板に接続され、前記スピンドルモータの駆動を制御する制御基板と；を備えた光ディスク装置において、前記回路基板に設けられた導体と；前記回路基板と前記前面パネルとの間に設けられ、前記導体に接触する導体接触部を有し、導電性の素材から構成される導電板と；を備えたことを特徴とする。なお、前記導体は、前記回路基板の接地線に接続されていることが好ましい。
【０００９】
また、前記導体接触部を、前記導体に接触する接触位置と、前記導体との接触を解除する接触解除位置との間で変位可能に設け、前記ディスクトレイが前記露出位置に位置するときに、前記導体接触部を前記接触位置に変位させ、前記ディスクトレイが前記格納位置に位置するときに、前記導体接触部を前記接触解除位置に変位させる変位手段と；前記導電板に形成され、前記ディスクトレイが前記格納位置に位置するときに、前記ケースに接触するケース接触部と；を備えることが好ましい。
【００１０】
さらに、前記ケース接触部を、前記ディスクトレイが前記露出位置に位置するときに、前記導体接触部を前記接触位置に変位させる位置と、前記ディスクトレイが前記格納位置に位置するときに、前記ケースに接触して前記導体接触部を前記接触解除位置に変位させる位置との間で変位可能に形成し、前記変位手段を、前記ケース接触部及び前記ケースから構成することが好ましい。なお、前記ディスクトレイが前記露出位置に位置するときには、前記ケース接触部は、前記導体接触部を前記接触位置に変位させる位置（以下、接触変位位置と称する）に位置することが好ましく、前記ケース接触部を前記接触変位位置に向けて付勢する付勢手段を備えることが好ましい。
【００１１】
また、前記ディスクトレイが前記露出位置に位置するときに、前記導体接触部を前記接触位置に変位させる位置と、前記ディスクトレイが前記格納位置に位置するときに、前記ケースに接触して前記導体接触部を前記接触解除位置に変位させる位置との間で前記ディスクトレイにスライド可能に設けられたスライド板を備え、前記変位手段を、前記スライド板及び前記ケースから構成することが好ましい。なお、前記ディスクトレイが前記露出位置に位置するときには、前記スライド板は、前記導体接触部を前記接触位置に変位させる位置（以下、接触スライド位置と称する）に位置することが好ましく、前記スライド板を前記接触変位位置に向けて付勢する付勢手段を備えることが好ましい。
【発明の効果】
【００１２】
本発明の光ディスク装置によれば、回路基板に設けられた導体と、導電板の導体接触部とを接触させるから、ディスクトレイが如何なる位置に位置するときにも、イジェクトボタンと前面パネルの開口との隙間から前面パネルの内部に侵入した静電気を、導体接触部、導体、回路基板を介して、制御基板またはケースに流すことができる。これにより、前面パネルの内部に侵入した静電気による電子部品（光ピックアップ、スピンドルモータ）の破壊を防止することができる。
【００１３】
また、ディスクトレイが格納位置に位置するときには、変位手段により導体接触部が接触解除位置に変位し、導電板に形成されたケース接触部がケースに接触するから、前面パネルの内部に侵入した静電気は、ケースにのみ流れ、制御基板に流れることがない。これにより、前面パネルの内部に侵入した静電気による電子部品（光ピックアップ、スピンドルモータ）の破壊を防止しながらも、制御基板に流れる静電気等のノイズ成分に起因するエラーレート（光ピックアップの光ディスクへのアクセスエラー）の悪化を抑制することができる。
【発明を実施するための最良の形態】
【００１４】
図１に示すように、本発明を実施した光ディスク装置２を内蔵したノート型パソコンにおいて、光ディスク装置２はパソコン本体３の一方の側面に組み込まれる。図１は、光ディスク４を装填するためにトレイユニット５をいっぱいに引き出した様子を表している。光ディスク４の装填後、フロントパネル（前面パネル）６を押圧するとトレイユニット５はパソコン本体３内に完全に格納された状態でロックされる。トレイユニット５を引き出すときには、フロントパネル６に押圧可能に取り付けられたイジェクトボタン２５を押す。イジェクトボタン２５が押されたとき、光ピックアップ１５（図２参照）が光ディスク４にアクセスしていなければ格納位置（図３参照）でのロックが解除され、トレイユニット５がバネの付勢により所定ストローク（例えば１０ｍｍ程度）突出するから、ユーザはフロントパネル６をつまんで図示の露出位置まで引き出し操作することができる。
【００１５】
図２に示すように、光ディスク装置２は、パソコン本体３の内部に固定される金属薄板製のフレーム（ケース）９及びフレーム９の上面を覆うカバー（図示せず）により構成される筐体１０と、フレーム９の左右の側壁に設けられたガイドレールに沿ってスライドする左スライドレール１１及び右スライドレール１２と、各スライドレール１１，１２に対してさらにスライド自在に組み付けられたトレイユニット５と、を備える。フレーム９の側壁の内面には各スライドレール１１，１２のスライドをガイドする樹脂製のガイドレールが固定されている。
【００１６】
本実施形態では、トレイユニット５（ディスクトレイ１４）が、格納位置から露出位置まで移動するときには、先ず、各スライドレール１１，１２が、ディスクトレイ１４のスライドに伴い前方向にスライドして、各スライドレール１１，１２に形成された当接部が、ガイドレールに形成された係合部に当接して、各スライドレール１１，１２の前方向へのスライドが規制される。その後、さらにディスクトレイ１４を前方向に移動させて、ディスクトレイ１４を露出位置まで移動させる。各スライドレール１１，１２は、筐体１０の内部に格納される第１位置（図３参照）と筐体１０の外部に露出する第２位置（図２参照）との間で移動自在に設けられている。各スライドレール１１，１２は、ディスクトレイ１４が露出位置に向けて移動したときに、第２位置まで移動する。本実施形態では、各スライドレール１１，１２が第２位置に位置し、ディスクトレイ１４を露出位置まで移動させると、ディスクトレイ１４の後端が筐体１０から露出するようにされている。
【００１７】
フレーム９には、光ディスク装置２の駆動を制御する主制御基板１３が取り付けられており、主制御基板１３は、フレーム９とカバー（図示せず）とからなる筐体１０の内部に収納されている。
【００１８】
トレイユニット５は、光ディスク４の外径に対応した窪みが形成された樹脂製のディスクトレイ１４と、光ピックアップ１５を有し、ディスクトレイ１４の開口部を下側から塞ぐように組み付けられたピックアップユニット１６と、を備える。
【００１９】
ピックアップユニット１６には、光ディスク４を回転させるスピンドルモータ１７、スピンドルモータ１７の駆動軸に固定されたチャッキングコア１８が設けられている。ディスクトレイ１４の窪みに合わせて光ディスク４を装填すると、チャッキングコア１８が光ディスク４のチャック孔４ａ（図１参照）に係合して光ディスク４を保持する。
【００２０】
ディスクトレイ１４には、光ピックアップ１５及びスピンドルモータ１７の駆動を制御する駆動制御基板（制御基板）１９が設けられており、駆動制御基板１９は、フレキシブル基板２０により主制御基板１３に接続されている。
【００２１】
フレーム９の奥側にはイジェクトバネ２１を含むイジェクト機構２２が設けられ、イジェクトボタン２５を押して格納位置でのロックが解除されると、トレイユニット５はイジェクトバネ２１の付勢により所定ストロークだけ突出する。なお、故障やパソコンの暴走などでイジェクトボタン２５の操作ではイジェクトできなくなっても、イジェクト孔６ｅに固い細線を差し込むことによって格納位置でのロックを解除してディスクトレイ１４を引き出すことが可能となる。
【００２２】
図２及び図３に示すように、露出位置（図２参照）からディスクトレイ１４を押し込むと、各スライドレール１１，１２に保持されたディスクトレイ１４が後方に向かって移動し、各スライドレール１１，１２がフレーム９に固定されたガイドレール上を後方に向かってスライドする。フレーム９に対してディスクトレイ１４が所定の位置まで押し込まれると、イジェクトバネ２１をチャージした状態でディスクトレイ１４にフック（図示せず）が係合し、ディスクトレイ１４は格納位置（図３参照）に機械的にロックされる。
【００２３】
図４に示すように、フロントパネル（前面パネル）６には、イジェクトボタン２５のボタン部２５ｂが挿通されるボタン挿通孔（開口）６ａと、光レンズ２６のレンズ部２６ｂが挿通されるレンズ挿通孔６ｂと、が形成されている。フロントパネル６の後面には、イジェクトボタン２５の腕部２５ｃを溶着するためのボタン溶着ボス６ｃと、光レンズ２６のベース部２６ａを溶着するためのレンズ溶着ボス６ｄと、緊急操作用のイジェクト孔６ｅが形成された緊急操作用ボス６ｆと、が立設されている。ボタン溶着ボス６ｃ及びレンズ溶着ボス６ｄは、それぞれ２個ずつ立設されている。フロントパネル６は、図示しない係止機構（例えば、パッチン止めと称される係止機構等）により、ディスクトレイ１４の前面に着脱可能に取り付けられている。
【００２４】
イジェクトボタン２５は、トレイユニット５を引き出すときに操作するものであり、板状のベース部２５ａと、フロントパネル６のボタン挿通孔６ａに挿通されるボタン部２５ｂと、左右方向に延びる２本の腕部２５ｃと、を備える。ボタン部２５ｂの後面（図４における前面）には、イジェクトスイッチ３３（図５参照）に当接して押圧するための当接ボス２５ｄが立設されている。腕部２５ｃの先端部には、ボタン溶着ボス６ｃが挿通される取付孔２５ｅが形成されている。イジェクトボタン２５をフロントパネル６に取り付けるときには、先ず、ボタン部２５ｂをボタン挿通孔６ａに挿通し、ボタン溶着ボス６ｃを取付孔２５ｅに挿通する。そして、腕部２５ｃから突出した部分のボタン溶着ボス６ｃを半田ゴテ等で溶かすことにより、イジェクトボタン２５は、前後方向に押圧可能にフロントパネル６に取り付けられる。
【００２５】
光レンズ２６は、ＬＥＤ３４（図５参照）から照射された光をフロントパネル６の前面から外部に照射するためのものであり、透明樹脂により構成されている。光レンズ２６は、板状のベース部２６ａとレンズ部２６ｂとを備える。ベース部２６ａの上下それぞれの端部には、レンズ溶着ボス６ｄが挿通される取付孔２６ｃが形成されている。光レンズ２６をフロントパネル６に取り付けるときには、先ず、レンズ部２６ｂをレンズ挿通孔６ｂに挿通し、レンズ溶着ボス６ｄを取付孔２６ｃに挿通する。そして、ベース部２６ａから突出した部分のレンズ溶着ボス６ｄを半田ゴテで溶かすことにより、光レンズ２６はフロントパネル６に取り付けられる。
【００２６】
図５及び図６に示すように、ディスクトレイ１４の前面には、フレキシブル基板からなる回路基板３１が取り付けられるとともに、回路基板３１を覆うように、金属製の金属板（導電板）３２が取り付けられる。ディスクトレイ１４の前面には、回路基板３１及び金属板３２を位置決めするための位置決めボス１４ａと、緊急操作用のイジェクト孔１４ｂと、が形成されている。また、ディスクトレイ１４には、回路基板３１及び金属板３２を係止するための係止凹部１４ｃ（図７参照）が形成されている。
【００２７】
回路基板３１は、位置決めボス１４ａが挿通される位置決め孔３１ａと、係止凹部１４ｃに挿入される係止部３１ｂとが形成されており、駆動制御基板１９に接続されている。回路基板３１には、イジェクトスイッチ３３とＬＥＤ３４とが取り付けられており、イジェクトスイッチ３３及びＬＥＤ３４は、駆動制御基板１９を介して主制御基板１３により駆動が制御される。係止部３１ｂには、回路基板３１の接地線に接続された導体３５が設けられている。なお、導体３５を設ける位置は、係止部３１ｂに限定されることなく、確実に金属板３２の一部に接触する位置であれば適宜変更可能である。
【００２８】
イジェクトスイッチ３３は、ディスクトレイ１４を格納位置から露出位置に向けてイジェクトさせるときに操作するものである。イジェクトボタン２５を押圧操作し、当接ボス２５ｄがイジェクトスイッチ３３を押圧すると、回路基板３１から駆動制御基板１９を介して主制御基板１３にロック解除信号が出力される。駆動制御基板１９は、ロック解除信号が入力されたことに応答して、図示しないロック解除機構を駆動して、ディスクトレイ１４の格納位置でのロックを解除する。
【００２９】
ＬＥＤ３４は、光ディスク４にアクセス中であることを外部に表示するためのものであり、主制御基板１３は、光ディスク４にアクセス中には、駆動制御基板１９を介してＬＥＤ３４を点灯させるように制御する。
【００３０】
金属板３２は、弾性変形可能な薄板金属により構成されている。金属板３２には、位置決めボス１４ａが挿通される位置決め孔３２ａと、係止凹部１４ｃに挿入される係止部（導体接触部）３２ｂと、イジェクトスイッチ３３を覆うスイッチ覆い部３２ｃと、ＬＥＤ３４を覆うＬＥＤ覆い部３２ｄと、緊急操作用のイジェクト孔３２ｅと、ディスクトレイ１４に取り付けるための取付部３２ｆと、フレーム９に接触するフレーム接触部（ケース接触部）３２ｇと、が形成されている。係止部３２ｂは、左側端に向かうにつれて、次第に後方に傾斜するように形成されている。
【００３１】
スイッチ覆い部３２ｃには、イジェクトボタン２５の当接ボス２５ｄを挿通するためのボス挿通孔３２ｈが形成されている。ＬＥＤ覆い部３２ｄには、ＬＥＤ３４から照射された光を光レンズ２６に入射させるための入射孔３２ｉが形成されている。
【００３２】
回路基板３１及び金属板３２をディスクトレイ１４に取り付けるときには、先ず、係止部３１ｂを係止凹部１４ｃに挿入した後、位置決めボス１４ａを位置決め孔３１ａに挿通する。そして、係止部３２ｂを係止凹部１４ｃに挿入した後、位置決めボス１４ａを位置決め孔３２ａに挿通する。このとき、取付部３２ｆがディスクトレイ１４に形成された係止部（図示せず）に係止され、金属板３２は、回路基板３１を間に挟み込んだ状態でディスクトレイ１４に取り付けられる。
【００３３】
回路基板３１及び金属板３２をディスクトレイ１４に取り付けると、係止部３２ｂは、変形した状態で、且つ、元の形状に戻ろうとする弾性変形力を有する状態で、導体３５に接触している。これにより、ディスクトレイ１４に衝撃が加わった場合にも、係止部３２ｂと導体３５との接触が解除されることがない。
【００３４】
図７に示すように、回路基板３１及び金属板３２が取り付けられたディスクトレイ１４に、フロントパネル６を取り付けると、回路基板３１は、フロントパネル６により覆われた状態となる。このとき、係止部３２ｂは、回路基板３１の導体３５に接触している。
【００３５】
次に、上記のように構成された光ディスク装置２の作用について説明する。トレイユニット５（ディスクトレイ１４）が格納位置に位置するときに、ユーザが、イジェクトボタン２５を押圧操作すると、当接ボス２５ｄがイジェクトスイッチ３３を押圧する。イジェクトスイッチ３３が押圧されると、ディスクトレイ１４の格納位置でのロックが解除され、ディスクトレイ１４がイジェクトバネ２１の付勢により、１０ｍｍ程度突出（前方向に移動）する。そして、ユーザは、フロントパネル６をつまんで、ディスクトレイ１４を露出位置まで移動させる。
【００３６】
フロントパネル６のボタン挿通孔６ａとボタン部２５ｂとの間には隙間（以下、ボタン隙間と称する）があり、特に、ユーザがイジェクトボタン２５を押圧操作したときにボタン隙間は大きくなる。このため、ボタン隙間からフロントパネル６の内部に静電気が侵入する。
【００３７】
図７（Ｂ）に示すように、ディスクトレイ１４が露出位置に位置するときには、係止部３２ｂは、回路基板３１の導体３５に接触しており、フロントパネル６の内部に侵入した静電気は、金属板３２、導体３５を介して、駆動制御基板１９のグランド部（図示せず）に流れる。
【００３８】
図８に示すように、ディスクトレイ１４が格納位置まで移動すると、金属板３２のフレーム接触部３２ｇがフレーム９に接触し、フロントパネル６の内部に侵入した静電気は、金属板３２を介してフレーム９に流れる。また、ディスクトレイ１４が格納位置に位置するときにも、係止部３２ｂは、回路基板３１の導体３５に接触しており、フロントパネル６の内部に侵入した静電気は、金属板３２、導体３５を介して、駆動制御基板１９のグランド部に流れる。
【００３９】
このように、ディスクトレイ１４が格納位置及び露出位置のいずれに位置するときにも、フロントパネル６の内部に侵入した静電気を、金属板３２、導体３５を介して、駆動制御基板１９のグランド部に流すことができるから、フロントパネル６の内部に侵入した静電気による電子部品（光ピックアップ１５、ピックアップユニット１６、スピンドルモータ１７、駆動制御基板１９等）の破壊を防止することができる。
【００４０】
また、ディスクトレイ１４が格納位置に位置するときには、フロントパネル６の内部に侵入した静電気を、金属板３２を介してフレーム９に流すから、より一層確実に、フロントパネル６の内部に侵入した静電気による電子部品の破壊を防止することができる。
【００４１】
なお、上記実施形態では、ディスクトレイ１４が格納位置に位置するときに、金属板３２のフレーム接触部３２ｇがフレーム９に接触するようにしたが、ディスクトレイ１４が格納位置及び露出位置のいずれに位置するときにも、フロントパネル６の内部に侵入した静電気を取り除くことができればよく、フレーム接触部３２ｇを設けずに、フロントパネル６の内部に侵入した静電気を、全て駆動制御基板１９のグランド部に流すようにしてもよい。
【００４２】
図９及び図１０に他の実施形態を示す。図１〜図８に示す実施形態のものと同様の構成部材には同一の符号を付し、その詳細な説明を簡略化する。この実施形態では、回路基板３１は、係止部３１ｂには導体３５が設けられておらず、右側端部に、回路基板３１の接地線に接続された導体４０が設けられている。金属板３２のフレーム接触部３２ｇには、導体４０に接触する曲げ加工された導体接触部３２ｊが形成されている。
【００４３】
図１０（Ａ）に示すように、ディスクトレイ１４が露出位置に位置するときには、導体接触部３２ｊは、導体４０に接触する接触位置に位置しており、フロントパネル６の内部に侵入した静電気は、金属板３２、導体４０を介して、駆動制御基板１９のグランド部に流れる。
【００４４】
図１０（Ｂ）に示すように、ディスクトレイ１４が格納位置まで移動すると、金属板３２のフレーム接触部３２ｇがフレーム９に接触し、フロントパネル６の内部に侵入した静電気は、金属板３２を介してフレーム９に流れる。また、フレーム接触部３２ｇは、フレーム９に接触して、前方（図における下方）に変形する。この変形により、導体接触部３２ｊは、導体４０との接触が解除される接触解除位置まで変位する。このため、ディスクトレイ１４が格納位置に位置するときには、フロントパネル６の内部に侵入した静電気が、金属板３２、導体４０を介して、駆動制御基板１９のグランド部に流れることがない。
【００４５】
また、ディスクトレイ１４が格納位置から露出位置まで移動すると、フレーム接触部３２ｇとフレーム９との接触が解除され、フレーム接触部３２ｇは、弾性変形により元の形状（図１０（Ａ）参照）に戻り、導体接触部３２ｊが導体４０に接触する。すなわち、導体接触部３２ｊは、フレーム接触部３２ｇの弾性変形力により、導体４０に接触する接触位置に向けて付勢されている。
【００４６】
このように、ディスクトレイ１４が格納位置に位置するときには、フロントパネル６の内部に侵入した静電気が、金属板３２、導体４０を介して、駆動制御基板１９のグランド部に流れることがないから、フロントパネル６の内部に侵入した静電気による電子部品（光ピックアップ１５、ピックアップユニット１６、スピンドルモータ１７、駆動制御基板１９等）の誤作動や破壊を防止しながらも、駆動制御基板１９のグランド部に流れる静電気等のノイズ成分に起因するエラーレート（光ピックアップ１５の光ディスク４へのアクセスエラー）の悪化を抑制することができる。
【００４７】
図１１及び図１２に他の実施形態を示す。図９及び図１０に示す実施形態のものと同様の構成部材には同一の符号を付し、その詳細な説明を簡略化する。この実施形態では、金属板３２には、フレーム接触部３２ｇに代えて、スライド板４５が接触するスライド板接触部３２ｋが形成されている。スライド板接触部３２ｋには、導体４０に接触する導体接触部３２ｊが形成されている。
【００４８】
ディスクトレイ１４には、スライド板４５が左右方向にスライド可能に設けられている。このため、ディスクトレイ１４には、スライド板４５をスライド可能に保持する保持部（図示せず）が形成されている。スライド板４５は、コイルバネ（図示せず）により、右方向（Ａ方向）に向けて付勢されている。なお、スライド板４５は、ディスクトレイ１４に形成されたスライド規制部（図示せず）により、図１２（Ａ）に示す位置よりも右方向にはスライドしないように規制される。
【００４９】
スライド板４５は、右側面及び左側面が、後方から前方に向かうにつれて、次第に右方に傾斜するように形成されている。
【００５０】
図１２（Ａ）に示すように、ディスクトレイ１４が露出位置に位置するときには、導体接触部３２ｊは、導体４０に接触する接触位置に位置しており、フロントパネル６の内部に侵入した静電気は、金属板３２、導体４０を介して、駆動制御基板１９のグランド部に流れる。
【００５１】
図１２（Ｂ）に示すように、ディスクトレイ１４が格納位置まで移動すると、スライド板４５の右側面が、フレーム９の内壁面に接触して、スライド板４５はコイルバネの付勢に抗してＢ方向にスライドする。スライド板４５がＢ方向にスライドすると、スライド板４５の左側面がスライド板接触部３２ｋに接触して、スライド板接触部３２ｋが、前方（図における下方）に変形する。この変形により、導体接触部３２ｊは、導体４０との接触が解除される接触解除位置まで変位する。このため、ディスクトレイ１４が格納位置に位置するときには、フロントパネル６の内部に侵入した静電気が、金属板３２、導体４０を介して、駆動制御基板１９のグランド部に流れることがない。
【００５２】
また、ディスクトレイ１４が格納位置から露出位置まで移動すると、スライド板接触部３２ｋとスライド板４５との接触が解除され、スライド板接触部３２ｋは、弾性変形により元の形状（図１２（Ａ）参照）に戻り、導体接触部３２ｊが導体４０に接触する。すなわち、導体接触部３２ｊは、スライド板接触部３２ｋの弾性変形力により、導体４０に接触する接触位置に向けて付勢されている。
【００５３】
このように、ディスクトレイ１４が格納位置に位置するときには、フロントパネル６の内部に侵入した静電気が、金属板３２、導体４０を介して、駆動制御基板１９のグランド部に流れることがないから、フロントパネル６の内部に侵入した静電気による電子部品（光ピックアップ１５、ピックアップユニット１６、スピンドルモータ１７、駆動制御基板１９等）の誤作動や破壊を防止しながらも、駆動制御基板１９のグランド部に流れる静電気等のノイズ成分に起因するエラーレート（光ピックアップ１５の光ディスク４へのアクセスエラー）の悪化を抑制することができる。
【図面の簡単な説明】
【００５４】
【図１】本発明の光ディスク装置を備えたノート型パソコンの外観図である。
【図２】トレイユニットが露出位置に位置するときの光ディスク装置を示す斜視図である。
【図３】トレイユニットが格納位置に位置するときの光ディスク装置を示す斜視図である。
【図４】フロントパネルとイジェクトボタンと光レンズとを示す分解斜視図及び取付後の斜視図である。
【図５】ディスクトレイと回路基板と金属板とを示す分解斜視図である。
【図６】ディスクトレイと回路基板と金属板とを示す斜視図である。
【図７】ディスクトレイと回路基板と金属板とを示す上側面断面図である。
【図８】ディスクトレイが格納位置に位置するときのディスクトレイと回路基板と金属板とを示す上側面断面図である。
【図９】金属板のフレーム接触部を、導体に接触する位置と接触を解除する位置との間で変形するようにした実施形態のディスクトレイと回路基板と金属板とを示す分解斜視図である。
【図１０】図９に示す実施形態のディスクトレイと回路基板と金属板とを示す上側面断面図である。
【図１１】ディスクトレイにスライド板を設けた実施形態のディスクトレイと回路基板と金属板とスライド板とを示す斜視図である。
【図１２】図１１に示す実施形態のディスクトレイと回路基板と金属板とスライド板とを示す上側面断面図である。
【符号の説明】
【００５５】
２  光ディスク装置
５  トレイユニット
６  フロントパネル（前面パネル）
６ａ  ボタン挿通孔（開口）
９  フレーム（ケース）
１４  ディスクトレイ
１５  光ピックアップ
１６  ピックアップユニット
１７  スピンドルモータ
１９  駆動制御基板（制御基板）
２５  イジェクトボタン
３１  回路基板
３２  金属板（導電板）
３２ｂ  係止部（導体接触部）
３２ｇ  フレーム接触部（ケース接触部）
３２ｊ  導体接触部
３２ｋ  スライド板接触部
３３  イジェクトスイッチ
３５，４０  導体
４５  スライド板
【図１】
2008152844.tif 000003
【図２】
2008152844.tif 000004
【図３】
2008152844.tif 000005
【図４】
2008152844.tif 000006
【図５】
2008152844.tif 000007
【図６】
2008152844.tif 000008
【図７】
2008152844.tif 000009
【図８】
2008152844.tif 000010
【図９】
2008152844.tif 000011
【図１０】
2008152844.tif 000012
【図１１】
2008152844.tif 000013
【図１２】
2008152844.tif 000014